(57)【要約】【課題】天井材や天井下地に水平力や鉛直力が作用したり、天井材や天井下地が劣化したりしても、天井材が床面まで落ちるのを防止できる天井構造を提供すること。【解決手段】天井構造１は、天井裏空間に設けられた軽量鉄骨下地１０と、この軽量鉄骨下地１０に取り付けられる板状の天井材２０と、を備える。この天井構造１では、天井材２０の室内側の表面には、シート２１が張り付けられる。本発明によれば、シート２１を天井材２０の表面に張り付けたので、このシート２１により天井材２０に亀裂が入りにくくなるから、天井材２０や軽量鉄骨下地１０に水平力や鉛直力が作用したり天井材２０や軽量鉄骨下地１０が劣化したりしても、天井材２０が野縁１３から外れるのを防止できる。【選択図】図２
2014173394.tif 000002
【特許請求の範囲】
【請求項１】
天井裏空間に設けられた天井下地と、当該天井下地に取り付けられる板状の天井材と、を備える天井構造であって、
当該天井材の表面には、シートが張り付けられることを特徴とする天井構造。
【請求項２】
前記天井下地は、天井裏の躯体から吊下げ支持された複数の吊り部材と、当該吊り部材に支持されて略水平かつ互いに略平行に延びる複数の野縁受けと、当該野縁受けに支持されて前記野縁受けに略直交しかつ略水平で互いに略平行に延びる野縁と、を備え、
前記吊り部材あるいは前記躯体から延びて前記シートに連結されるワイヤをさらに備えることを特徴とする請求項１に記載の天井構造。
【請求項３】
前記天井下地は、天井裏の躯体から吊下げ支持された複数の吊り部材と、当該吊り部材に支持されて略水平かつ互いに略平行に延びる複数の野縁受けと、当該野縁受けに支持されて前記野縁受けに略直交しかつ略水平で互いに略平行に延びる野縁と、を備え、
前記シートの上から前記天井材を貫通して前記野縁にビスが打ち込まれていることを特徴とする請求項１に記載の天井構造。
【請求項４】
前記吊り部材あるいは前記躯体から延びて前記野縁のビスが打ち込まれた部分の近傍に連結されるワイヤをさらに備えることを特徴とする請求項３に記載の天井構造。
【請求項５】
前記天井下地は、天井裏の躯体から吊下げ支持された複数の吊り部材と、当該吊り部材に支持されて略水平かつ互いに略平行に延びる複数の野縁受けと、当該野縁受けに支持されて前記野縁受けに略直交しかつ略水平で互いに略平行に延びる野縁と、を備え、
前記野縁には、補強部材が取り付けられ、
前記シートの上から前記天井材を貫通して前記補強部材にビスが打ち込まれていることを特徴とする請求項１に記載の天井構造。
【請求項６】
天井裏空間に設けられた天井下地に取り付けられる板状の天井材であって、
当該天井材の少なくとも一方の表面には、全面に亘ってシートが張り付けられることを特徴とする天井材。
【発明の詳細な説明】
【技術分野】
【０００１】
本発明は、天井構造およびこの天井構造に用いられる天井材に関する。
【背景技術】
【０００２】
従来より、地震時の建物の挙動により、天井下地や天井材に大きな慣性力が作用し、これら天井下地や天井材が破損したり落下したりする場合があるため、例えば、天井裏空間にブレースを設けて耐震補強することが提案されている。（特許文献１参照）。
【０００３】
このブレースは、例えば、水平面に対して傾斜して直線状に延びる軽量鉄骨の部材であり、このブレースの上端は、天井裏の吊りボルトに係止され、下端は、天井下地である野縁受けあるいは野縁に係止される。
【先行技術文献】
【特許文献】
【０００４】
【特許文献１】特開２００９−３５９６０号公報
【発明の概要】
【発明が解決しようとする課題】
【０００５】
しかしながら、地震や風による揺れにより、天井材や天井下地に水平力や鉛直力が作用し、天井材を野縁に固定するビスの周囲に亀裂が入って、天井材が破壊される場合があった。あるいは、湿気や、プールの水に含まれる塩素などの浸食性ガスや、その他の有害物質により、天井材や天井下地が劣化して、天井材の自重により天井材を野縁に固定するビスの周囲に亀裂が入って、天井材が破壊される場合があった。これらの場合、ビスが野縁に固定されたままで、野縁から外れて、床面まで落ちてしまう（ビスの頭抜け）。
以上のようなブレースでは、天井下地の変形や破壊を防止できるが、このようなビスの頭抜けによって天井材が外れるのを防止するのは困難であった。
【０００６】
本発明は、天井材や天井下地に水平力や鉛直力が作用したり、天井材や天井下地が劣化したりしても、天井材が床面まで落ちるのを防止できる天井構造および天井材を提供することを目的とする。
【課題を解決するための手段】
【０００７】
請求項１に記載の天井構造（例えば、後述の天井構造１、１Ａ、１Ｂ、１Ｃ）は、天井裏空間に設けられた天井下地（例えば、後述の軽量鉄骨下地１０）と、当該天井下地に取り付けられる板状の天井材（例えば、後述の天井材２０）と、を備える天井構造であって、当該天井材の表面には、シート（例えば、後述のシート２１、２１Ａ、２１Ｂ、２１Ｃ）が張り付けられることを特徴とする。
【０００８】
天井材としては、石膏ボード、珪酸カルシウム板、セメント系ボード、岩綿吸音板、金属板などが挙げられる。
シートとしては、ガラスクロス、樹脂、金属などが挙げられる。また、シートを天井材に接着する方法としては、接着剤、両面テープ、接着スプレー、ビス止めなどの方法を用いることができる。
【０００９】
天井材の表面とは、天井材の天井裏側の表面および室内側の表面を含む。
この発明によれば、シートを天井材の表面に張り付けたので、このシートにより天井材に亀裂が入りにくくなるから、天井材や天井下地に水平力や鉛直力が作用したり、天井材や天井下地が劣化したりしても、天井材が野縁から外れるのを防止できる。したがって、天井材が床面まで落ちるのを防止できる。
【００１０】
請求項２に記載の天井構造（例えば、後述の天井構造１Ｃ）は、前記天井下地は、天井裏の躯体から吊下げ支持された複数の吊り部材（例えば、後述の吊りボルト１１）と、当該吊り部材に支持されて略水平かつ互いに略平行に延びる複数の野縁受け（例えば、後述の野縁受け１２）と、当該野縁受けに支持されて前記野縁受けに略直交しかつ略水平で互いに略平行に延びる野縁（例えば、後述の野縁１３）と、を備え、前記吊り部材あるいは前記躯体から延びて前記シートに連結されるワイヤ（例えば、後述の落下防止ワイヤ３０Ｃ）をさらに備えることを特徴とする。
【００１１】
ワイヤの材質としては、金属、樹脂、合成繊維などが上げられる。
この発明によれば、天井材が野縁から外れても、天井材に張り付けられたシートがワイヤに連結されているので、この天井材は、ワイヤによって所定高さまで落ちた状態で吊下げ支持される。したがって、天井材が床面まで落ちるのをより確実に防止できる。
また、天井材および野縁が一体となって野縁受けから外れたり、天井材、野縁、および野縁受けが一体となって吊りボルトから外れたりしても、天井材に張り付けられたシートがワイヤに連結されているので、一体となった天井材および野縁、あるいは、一体となった天井材、野縁、および野縁受けは、ワイヤによって所定高さまで落ちた状態で吊下げ支持されるので、床面まで落ちるのをより確実に防止できる。
【００１２】
請求項３に記載の天井構造（例えば、後述の天井構造１）は、前記天井下地は、天井裏の躯体から吊下げ支持された複数の吊り部材と、当該吊り部材に支持されて略水平かつ互いに略平行に延びる複数の野縁受けと、当該野縁受けに支持されて前記野縁受けに略直交しかつ略水平で互いに略平行に延びる野縁と、を備え、前記シート（例えば、後述のシート２１）の上から前記天井材を貫通して前記野縁にビス（例えば、後述のビス２２）が打ち込まれていることを特徴とする。
【００１３】
この発明によれば、シートの上から天井材を貫通して野縁にビスを打ち込んだので、このシートによりビスの周囲の天井材に亀裂が入りにくくなるから、ビスの頭抜けを防止できる。また、ビスの頭抜けによる天井材の剛性劣化を防止できる。
さらに、天井材をビスで野縁に固定したので、天井材がより強固に野縁に固定されることとなり、天井材や天井下地に水平力や鉛直力が作用したり、天井材や天井下地が劣化したりしても、天井材が野縁から外れるのをより確実に防止できる。
【００１４】
また、天井材の表面は、塗装やクロスで最終的に仕上げを行うため、平滑性が要求される。そのため、天井材を野縁に固定するためのビスは、天井材に深くまで打ち込むことが多いが、この場合、天井材の表面が傷ついて、天井材の強度が低下する場合がある。しかし、本発明では、天井材にシートを張り付けたので、ビスを深くまで打ち込んでも、シートが天井材の表面を保護するから、天井材の強度が低下するのを防止できる。
【００１５】
請求項４に記載の天井構造は、前記吊り部材あるいは前記躯体から延びて前記野縁のビスが打ち込まれた部分の近傍に連結されるワイヤ（例えば、後述の落下防止ワイヤ３０）をさらに備えることを特徴とする。
【００１６】
この発明によれば、天井材および野縁が一体となって野縁受けから外れたり、天井材、野縁、および野縁受けが一体となって吊りボルトから外れたりしても、野縁がワイヤに連結されているので、一体となった天井材および野縁、あるいは、一体となった天井材、野縁、および野縁受けは、ワイヤによって所定高さまで落ちた状態で吊下げ支持されるので、床面まで落ちるのをより確実に防止できる。
【００１７】
請求項５に記載の天井構造（例えば、後述の天井構造１Ａ、１Ｂ）は、前記天井下地は、天井裏の躯体から吊下げ支持された複数の吊り部材と、当該吊り部材に支持されて略水平かつ互いに略平行に延びる複数の野縁受けと、当該野縁受けに支持されて前記野縁受けに略直交しかつ略水平で互いに略平行に延びる野縁と、を備え、前記野縁には、補強部材（例えば、後述の補強部材１４）が取り付けられ、前記シート（例えば、後述のシート２１Ａ、２１Ｂ）の上から前記天井材を貫通して前記補強部材にビス（例えば、後述のビス２２、２２Ａ、２２Ｂ）が打ち込まれていることを特徴とする。
【００１８】
この発明によれば、シートの上から天井材を貫通して補強部材にビスを打ち込んだので、このシートによりビスの周囲の天井材に亀裂が入りにくくなるから、ビスの頭抜けを防止できる。また、ビスの頭抜けによる天井材の剛性劣化を防止できる。
さらに、天井材をビスで補強部材に固定したので、天井材が補強部材を介してより強固に野縁に固定されることとなり、天井材や天井下地に水平力や鉛直力が作用したり、天井材や天井下地が劣化したりしても、天井材が野縁から外れるのをより確実に防止できる。
【００１９】
ここで、前記吊り部材あるいは前記躯体から延びて前記補強部材のビスが打ち込まれた部分の近傍に連結されるワイヤ（例えば、後述の落下防止ワイヤ３０Ａ、３０Ｂ）をさらに備えることが好ましい。
【００２０】
この発明によれば、天井材および野縁が一体となって野縁受けから外れたり、天井材、野縁、および野縁受けが一体となって吊りボルトから外れたりしても、野縁に取り付けられた補強部材がワイヤに連結されているので、一体となった天井材および野縁、あるいは、一体となった天井材、野縁、および野縁受けは、ワイヤによって所定高さまで落ちた状態で吊下げ支持されるので、床面まで落ちるのをより確実に防止できる。
【００２１】
請求項６に記載の天井材は、天井裏空間に設けられた天井下地に取り付けられる板状の天井材であって、当該天井材の少なくとも一方の表面には、全面に亘ってシートが張り付けられることを特徴とする。
【００２２】
この発明によれば、シートを天井材の表面に張り付けたので、このシートにより天井材に亀裂が入りにくくなるから、天井材や天井下地に水平力や鉛直力が作用したり、天井材や天井下地が劣化したりしても、天井材が野縁から外れるのを防止できる。したがって、天井材が床面まで落ちるのを防止できる。
また、例えば工場にて、天井材の表面に予めシートを張り付けておくことにより、現場での施工手間を軽減して、施工コストを削減できる。
【発明の効果】
【００２３】
本発明によれば、シートを天井材の表面に張り付けたので、このシートにより天井材に亀裂が入りにくくなるから、天井材や天井下地に水平力や鉛直力が作用したり、天井材や天井下地が劣化したりしても、天井材が野縁から外れるのを防止できる。したがって、天井材が床面まで落ちるのを防止できる。
【図面の簡単な説明】
【００２４】
【図１】本発明の第１実施形態に係る天井構造の斜視図である。
【図２】前記実施形態に係る天井構造の部分拡大断面図および見上げ図である。
【図３】本発明の第２実施形態に係る天井構造の部分拡大断面図である。
【図４】本発明の第３実施形態に係る天井構造の部分拡大断面図である。
【図５】本発明の第４実施形態に係る天井構造の部分拡大断面図である。
【図６】本発明の変形例に係る天井構造の部分拡大断面図である。
【発明を実施するための形態】
【００２５】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る天井構造１の下から見上げた斜視図である。
【００２６】
天井構造１は、天井裏空間に設けられた天井下地としての軽量鉄骨下地１０と、この軽量鉄骨下地１０に取り付けられる板状の天井材２０と、この天井材２０の落下を防止する落下防止ワイヤ３０と、を備える（図２参照）。
【００２７】
軽量鉄骨下地１０は、天井裏の躯体や鉄骨などの構造体から吊下げ支持された複数の吊り部材としての吊りボルト１１と、これら吊りボルト１１に支持されて略水平かつ互いに略平行に延びる複数の野縁受け１２と、これら野縁受け１２に支持されて野縁受け１２に略直交しかつ略水平で互いに略平行に延びる野縁１３と、を備える。
【００２８】
吊りボルト１１の下端側には、ハンガー１１１が取り付けられ、野縁受け１２は、このハンガー１１１に嵌め込まれている。
野縁１３は、クリップ１２１で野縁受け１２に固定されている。
【００２９】
図２は、天井構造１の部分拡大断面図および見上げ図である。
野縁１３は、上側が開放された断面略コの字形状の鋼材である。すなわち、この野縁１３は、平板状で所定方向に延びる底部１３１と、この底部１３１の幅方向両端に立設された一対の壁部１３２と、を備える。
【００３０】
天井材２０は、軽量鉄骨下地１０の野縁１３の底部１３１の下面に取り付けられる。したがって、この天井材２０の下面は室内に面しており、上面は、天井裏に面している。
天井材２０の室内側の表面にはシート２１が張り付けられており、この天井材２０は、シート２１の下方から天井材２０を貫通して野縁１３の底部１３１にビス２２を打ち込むことで、野縁１３に固定されている。
【００３１】
このシート２１は、矩形状であり、ビス２２を中心とする所定範囲に亘って張り付けられている。
【００３２】
落下防止ワイヤ３０は、吊りボルト１１あるいは構造体から延びて、野縁１３のビス２２が打ち込まれた部分の近傍、ここでは野縁１３の壁部１３２に連結されている。
【００３３】
上述の天井構造１の施工方法は、以下のようになる。
ステップＳ１では、軽量鉄骨下地１０を構築する。すなわち、天井裏の躯体から吊りボルト１１を吊下げて、これら吊りボルト１１に野縁受け１２を取り付ける。そして、これら野縁受け１２に野縁１３を取り付ける。
【００３４】
ステップＳ２では、軽量鉄骨下地１０の野縁１３に天井材２０をビス２２で固定する。このとき、天井材２０を取り付ける直前に、天井材２０のビス２２を打ち込む箇所毎にシート２１を張り付けて、その後、天井材２０を野縁１３に当てて、この張り付けたシート２１の上からビス２２を打ち込むことで、天井材２０を野縁１３に取り付ける。
【００３５】
本実施形態によれば、以下のような効果がある。
（１）シート２１を天井材２０の表面に張り付けたので、このシート２１により天井材に亀裂が入りにくくなるから、天井材２０や軽量鉄骨下地１０に水平力や鉛直力が作用したり天井材２０や軽量鉄骨下地１０が劣化したりしても、天井材２０が野縁１３から外れるのを防止できる。したがって、天井材２０が床面まで落ちるのを防止できる。
【００３６】
（２）シート２１の上から天井材２０を貫通して野縁１３にビス２２を打ち込んだので、シート２１によりビス２２の周囲の天井材２０に亀裂が入りにくくなるから、ビス２２の頭抜けを防止できる。また、ビス２２の頭抜けによる天井材２０の剛性劣化を防止できる。
さらに、天井材２０をビス２２で野縁１３に固定したので、天井材２０がより強固に野縁１３に固定されることとなり、天井材２０や軽量鉄骨下地１０に水平力や鉛直力が作用したり天井材２０や軽量鉄骨下地１０が劣化したりしても、天井材２０が野縁１３から外れるのをより確実に防止できる。
また、天井材２０にシート２１を張り付けたので、ビス２２を深くまで打ち込んでも、シート２１が天井材２０の表面を保護するから、天井材２０の強度が低下するのを防止できる。
【００３７】
（３）天井材２０および野縁１３が一体となって野縁受け１２から外れたり、天井材２０、野縁１３、および野縁受け１２が一体となって吊りボルト１１から外れたりしても、野縁１３が落下防止ワイヤ３０に連結されているので、一体となった天井材２０および野縁１３、あるいは、一体となった天井材２０、野縁１３、および野縁受け１２は、落下防止ワイヤ３０によって所定高さまで落ちた状態で吊下げ支持されるので、床面まで落ちるのをより確実に防止できる。
【００３８】
〔第２実施形態〕
図３は、本発明の第２実施形態に係る天井構造１Ａの部分拡大断面図である。
本実施形態では、野縁１３に補強部材１４が取り付けられており、落下防止ワイヤ３０Ａがこの補強部材１４に接続されている点が、第１実施形態と異なる。
【００３９】
すなわち、補強部材１４は、断面略Ｌ字形状の鋼材であり、野縁１３に隣接して配置されている。この補強部材１４は、平板状で所定方向に延びる底部１４１と、この底部１４１の幅方向一端縁に立設された壁部１４２と、を備える。
【００４０】
補強部材１４の長さは、例えば３ｃｍ〜１０ｃｍ程度であるが、これに限らず、適宜決められてよい。ただし、野縁１３の長さほどは必要ない。
この補強部材１４の壁部１４２は、野縁１３の壁部１３２に取り付けられている。この補強部材１４を野縁１３に取り付ける方法としては、溶接、ビス止め、クリップ、両面テープ、接着剤などで固定する方法が挙げられる。なお、補強部材１４を必ずしも野縁１３に固定する必要はない。
【００４１】
天井材２０は、シート２１Ａの上から天井材２０を貫通して、野縁１３の底部１３１にビス２２を打ち込むとともに、補強部材１４の底部１４１にビス２２Ａを打ち込むことで、野縁１３および補強部材１４に固定されている。
シート２１Ａは、ビス２２およびビス２２Ａを中心とする所定範囲に亘って張り付けられている。
【００４２】
落下防止ワイヤ３０Ａは、野縁１３の壁部１３２ではなく、補強部材１４の壁部１４２に連結されている。
【００４３】
本実施形態によれば、上述の（１）の効果に加えて、以下のような効果がある。
（４）シート２１Ａの上から天井材２０を貫通して野縁１３および補強部材１４にビス２２、２２Ａを打ち込んだので、このシート２１Ａによりビス２２、２２Ａの周囲の天井材２０に亀裂が入りにくくなるから、ビス２２、２２Ａの頭抜けを防止できる。また、ビス２２、２２Ａの頭抜けによる天井材２０の剛性劣化を防止できる。
さらに、天井材２０をビス２２、２２Ａで野縁１３および補強部材１４に固定したので、天井材２０が補強部材１４を介してより強固に野縁１３に固定されることとなり、天井材２０や軽量鉄骨下地１０に水平力や鉛直力が作用したり天井材２０や軽量鉄骨下地１０が劣化したりしても、天井材２０が野縁１３から外れるのをより確実に防止できる。
【００４４】
（５）天井材２０および野縁１３が一体となって野縁受け１２から外れたり、天井材２０、野縁１３、および野縁受け１２が一体となって吊りボルト１１から外れたりしても、野縁１３に取り付けられた補強部材１４が落下防止ワイヤ３０Ａに連結されているので、一体となった天井材２０および野縁１３、あるいは、一体となった天井材２０、野縁１３、および野縁受け１２は、落下防止ワイヤ３０Ａによって所定高さまで落ちた状態で吊下げ支持されるので、床面まで落ちるのをより確実に防止できる。
【００４５】
（６）改修工事において、本発明を既存の天井構造１Ａに適用する場合、落下防止ワイヤ３０Ａを予め補強部材１４に取り付けておき、既存の野縁１３に対して、この補強部材１４を取り付けることで、改修工事の施工手間を低減できる。
【００４６】
〔第３実施形態〕
図４は、本発明の第３実施形態に係る天井構造１Ｂの断面図である。
本実施形態では、補強部材１５の形状が第２実施形態と異なる。
すなわち、補強部材１５は、断面略ハット形状でありの鋼材であり、野縁１３を覆うように配置されている。具体的には、補強部材１５は、平板状で所定方向に延びる天井部１５１と、この天井部１５１の幅方向両端から下方に延びる壁部１５２と、この壁部１５２の下端から外側に向かって略水平に延びる鍔部１５３と、を備える。
【００４７】
補強部材１５の長さは、補強部材１４と同様に、例えば３ｃｍ〜１０ｃｍ程度であるが、これに限らず、適宜決められてよい。ただし、野縁１３の長さほどは必要ない。
この補強部材１５の壁部１５２は、野縁１３の壁部１３２に取り付けられている。この補強部材１５を野縁１３に取り付ける方法としては、溶接、ビス止め、クリップ、両面テープ、接着剤などで固定する方法が挙げられる。なお、補強部材１５を必ずしも野縁１３に固定する必要はなく、補強部材１５を野縁１３に被せるだけでもよい。
【００４８】
天井材２０は、シート２１Ｂの上から天井材２０を貫通して、野縁１３の底部１３１にビス２２を打ち込むとともに、補強部材１５の鍔部１５３にビス２２Ｂを打ち込むことで、野縁１３および補強部材１５に固定されている。
シート２１Ｂは、ビス２２およびビス２２Ｂを中心とする所定範囲に亘って張り付けられている。
また、落下防止ワイヤ３０Ｂは、補強部材１５の天井部１５１に連結されている。
【００４９】
本実施形態によれば、上述の（１）、（４）〜（６）と同様の効果がある。ただし、（４）の効果において、補強部材１５は、補強部材１４に比べて、より強固に野縁１３に取り付けられるので、天井材２０が野縁１３から外れるのをより確実に防止できる。
【００５０】
〔第４実施形態〕
図５は、本発明の第４実施形態に係る天井構造１Ｃの断面図である。
本実施形態では、落下防止ワイヤ３０Ｃが野縁１３ではなくシート２１Ｃに連結されている点が、第１実施形態と異なる。
すなわち、落下防止ワイヤ３０Ｃは、吊りボルト１１あるいは構造体から延びて、天井材２０を貫通して、シート２１Ｃまで延びている。
【００５１】
本実施形態によれば、上述の（１）の効果に加えて、以下のような効果がある。
（７）天井材２０が野縁１３から外れてしまっても、この天井材２０に張り付けられたシート２１Ｃが落下防止ワイヤ３０Ｃに連結されているので、この天井材２０は、落下防止ワイヤ３０Ｃによって所定高さまで落ちた状態で吊下げ支持される。したがって、天井材２０が床面まで落ちるのをより確実に防止できる。
また、天井材２０および野縁１３が一体となって野縁受け１２から外れたり、天井材２０、野縁１３、および野縁受け１２が一体となって吊りボルト１１から外れたりしても、天井材２０に張り付けられたシート２１Ｃが落下防止ワイヤ３０Ｃに連結されているので、一体となった天井材２０および野縁１３、あるいは、一体となった天井材２０、野縁１３、および野縁受け１２は、落下防止ワイヤ３０Ｃによって所定高さまで落ちた状態で吊下げ支持されるので、床面まで落ちるのをより確実に防止できる。
【００５２】
なお、本発明は前記実施形態に限定されるものではなく、本発明の目的を達成できる範囲での変形、改良等は本発明に含まれるものである。
【００５３】
例えば、上述の第１〜３実施形態では、ビス２２、２２Ａ、２２Ｂを打ち込む箇所毎にシート２１、２１Ａ、２１Ｂを張り付けたが、これに限らず、帯状のシートを用意し、ビスを打ち込む複数箇所をまとめてシートを張り付けてもよい。
【００５４】
また、上述の各実施形態では、落下防止ワイヤ３０、３０Ａ、３０Ｂ、３０Ｃを設けたが、これに限らず、ビスの頭抜けのみを防止する目的であれば、落下防止ワイヤを設けなくてもよい。
【００５５】
また、上述の各実施形態では、天井材２０を軽量鉄骨下地１０に取り付ける直前に、シート２１〜２１Ｃを天井材に張り付けたが、これに限らず、下ごしらえの際にシートを天井材に張り付けてもよい。あるいは、予め工場などで天井材の一方の面に全面に亘ってシートを張り付けたり、予め工場にて、片面が本発明のシートとなった天井材を製造したりしてもよい。このように予め工場で加工することにより、現場での施工手間を軽減して、施工コストを削減できる。
【００５６】
また、上述の第１〜３実施形態では、シート２１を矩形状とし、ビス２２をシート２１の中心に打ち込んだが、これに限らない。すなわち、シート２１を円形状などの他の形状としてもよいし、また、ビス２２は、必ずしもシート２１の正確な中心でなくてもよい。
また、シート２１、２１Ａ、２１Ｂをビス２２、２２Ａ、２２Ｂを中心とする所定範囲に亘って張り付けたが、限らず、シート２１、２１Ａ、２１Ｂをビス２２、２２Ａ、２２Ｂを打ち込む箇所のみに張り付けてもよい。
【００５７】
また、上述の各実施形態では、天井材２０を１層としたが、これに限らず、天井材を複数積層して設けてもよい。この場合、どの層にシートを張り付けるかは、天井材の重量などを考慮して決定する。例えば、各層全てにシートを張り付けてもよい。
【００５８】
また、天井構造１、１Ａ、１Ｂの改修工事では、既存の天井材２０に後からシート２１、２１Ａ、２１Ｂを張り付けて、さらにビス２２、２２Ａ、２２Ｂを打ち直してもよい。これにより、ビス２２、２２Ａ、２２Ｂの頭抜けを防止できるうえに、工期を短縮でき、低コストとなる。
【００５９】
また、上述の天井構造１Ｃは、図６に示すように、野縁や野縁受けがないシステム天井にも適用できる。このシステム天井は、天井裏の躯体から吊下げ支持された複数の図示しない吊りボルトと、これら吊りボルトに支持されて略水平かつ互いに略平行に延びる図示しない複数のＴバー受けチャンネルと、これらＴバー受けチャンネルに支持されて略水平かつ格子状に延びる複数のＴバー１６と、これらＴバーに支持される板状の天井材２０と、を備える。
【符号の説明】
【００６０】
１、１Ａ、１Ｂ、１Ｃ…天井構造
１０…軽量鉄骨下地（天井下地）
１１…吊りボルト（吊り部材）
１２…野縁受け
１３…野縁
１４、１５…補強部材
１６…Ｔバー
２０…天井材
２１、２１Ａ、２１Ｂ、２１Ｃ…シート
２２、２２Ａ、２２Ｂ…ビス
３０、３０Ａ、３０Ｂ、３０Ｃ…落下防止ワイヤ
１１１…ハンガー
１２１…クリップ
１３１…野縁の底部
１３２…野縁の壁部
１４１…補強部材の底部
１４２…補強部材の壁部
１５１…補強部材の天井部
１５２…補強部材の壁部
１５３…補強部材の鍔部
【図１】
2014173394.tif 000003
【図２】
2014173394.tif 000004
【図３】
2014173394.tif 000005
【図４】
2014173394.tif 000006
【図５】
2014173394.tif 000007
【図６】
2014173394.tif 000008